(57)【要約】【課題】地中における水の貯留量を増やすことができる降水貯留構造および降水貯留方法を提供する。【解決手段】通水体１０の上端１０Ａを降水面Ｐに連通させ、下端１０Ｂを地中に配置する。通水体１０の下端１０Ｂの下方に水受け体３０を置き、通水体１０の下端１０Ｂの位置を、水受け体３０の立上り縁３２よりも低くする。降雨時には、透水性舗装２０を通過した水が通水体１０を通じて地中に導かれ、水受け体３０上に地中の土粒子が水で飽和した飽和湿潤状態の帯水層Ｌ３が形成される。一旦飽和湿潤状態が形成されると、晴天が続いた時の乾燥状態にも水受け体３０上には水が飽和湿潤状態で保持され、水受け体３０内に保持された水と通水体１０とが連通した状態となる。水受け体３０を省略し、通水体１０の下端１０Ｂの位置を、地下水位よりも低くするようにしてもよい。【選択図】図６
2009264080.tif 000002
【特許請求の範囲】
【請求項１】
上端および下端に開口を有する通水体を備え、前記通水体の上端は降水面に連通し、前記下端は地中の帯水層に置かれている
ことを特徴とする降水貯留構造。
【請求項２】
前記通水体の下端の位置は、帯水層の地下水位よりも低い
ことを特徴とする請求項１記載の降水貯留構造。
【請求項３】
上端および下端に開口を有し、前記上端は降水面に連通し、前記下端は地中に置かれた通水体と、
前記通水体の下端の下方に、底面の周囲に立上り縁を有する水受け体と
を備えたことを特徴とする降水貯留構造。
【請求項４】
前記通水体の下端の位置は、前記水受け体の立上り縁よりも低い
ことを特徴とする請求項３記載の降水貯留構造。
【請求項５】
前記通水体の上端は、透水性舗装を介して前記降水面に連通している
ことを特徴とする請求項１ないし４のいずれか１項に記載の降水貯留構造。
【請求項６】
前記通水体は、１本または複数の管体により構成されている
ことを特徴とする請求項１ないし５のいずれか１項に記載の降水貯留構造。
【請求項７】
前記降水面は、晴天時は乾燥状態にあり降水時は水の道筋となる面である
ことを特徴とする請求項１ないし６のいずれか１項に記載の降水貯留構造。
【請求項８】
上端および下端に開口を有する通水体を、前記上端が降水面に連通し、前記下端が地中の帯水層に位置するように設け、降水面の水を前記通水体を介して地中に導き、帯水層内の空隙に貯留する
ことを特徴とする降水貯留方法。
【請求項９】
上端および下端に開口を有する通水体を、前記上端は降水面に連通し、前記下端は地中に位置するように設けると共に、前記通水体の下端の下方に、底面の周囲に立上り縁を有する水受け体を配置し、降水面の水を前記通水体を介して地中に導き、前記水受け体の上に形成された帯水層内の空隙に貯留する
ことを特徴とする降水貯留方法。
【発明の詳細な説明】
【技術分野】
【０００１】
本発明は、雨水などの降水を地中に貯留する降水貯留構造および降水貯留方法に関する。
【背景技術】
【０００２】
近年、市街地近郊においては都市化や宅地化が進み、地表をコンクリートなどで覆うようになった。このため、地表に降った水は短時間のうちに集中して流出し、いたるところで浸水被害が発生している。これは、近年の集中豪雨の頻発にともなって大きな問題となっている。一方、世界的にみても異常気象が頻発している。オーストラリアの旱魃はその例である。このように地域的・時間的な降水の偏在が次第に顕著になっており、too much water, too little waterの状態が生じている。
【０００３】
また、アマゾン川流域の開発などによる熱帯雨林の消滅による地球の砂漠化が指摘されている。世界中の至る所に乾燥地帯が出現し、世界各地で水源確保をめぐる紛争が生じていることが報告されている。水は既に、石油などと同様に国際的な戦略物資となりつつあり、２１世紀は水の時代であるとも言われている。
【０００４】
淡水を貯留する技術は、これまでいろいろと工夫されてきた。従来の陸水の保留技術として、ため池、ダムまたは遊水地が用いられている。しかし、これらは水で地表を覆うため、その土地を他の用途に使えない。これは、流水抵抗が小さい地表の表面水の宿命である。従って、陸水の貯留は地下貯留が圧倒的に有利である。このことは、陸水に占める地下水の割合が河川水や湖沼水に比べて遥かに大きいという事実からも明らかである。
【０００５】
従来の陸水の地下貯留方法の一例として、例えば、土壌中に吸水性材料を内蔵した保水パイプを埋設するものがある（例えば、特許文献１参照。）。この方法では、降雨期で土壌中に水分が比較的多いときには、土壌中に浸透した余剰の地中浸透水を保水パイプ内の吸水性材料に吸水保水させる。一方、降雨量が比較的少なく土壌中に水分が比較的少ない、いわゆる乾燥気味にあるときは、パイプ内の吸水性材料に保水した水分を土壌中に放出する。こうして土中の水分調整を行う。しかしながら、この従来技術では、土中水分の調整量はパイプ内容積がその限界であり、水分調整量のキャパシティの点で課題が残る。
【特許文献１】特開平７−１７０８６６号公報
【発明の開示】
【発明が解決しようとする課題】
【０００６】
また、従来技術の多くは、地中貯留した水をその場所で使うことを想定している。そのため、水を貯留する区域の周囲を遮水物で取り囲む形式が一般的であり、水の貯留量に限界があった。また、一定の水貯留量に対して多くの材料を使い、高コストとなることが避けられなかった。
【０００７】
本発明はかかる問題点に鑑みてなされたもので、その目的は、低コストで効果的に地中における水の貯留量を増やすことができる降水貯留構造および降水貯留方法を提供することにある。
【課題を解決するための手段】
【０００８】
本発明による第１の降水貯留構造は、上端および下端に開口を有する通水体を備え、通水体の上端は降水面に連通し、下端は地中の帯水層に置かれているものである。
【０００９】
ここにいう「降水面」とは、晴天時は乾燥状態にあり降水時は水の道筋や水たまりとなる面であれば特に限定されず、例えば、地表面でもよいし、マンション等の建造物の屋上など、地表面よりも高い位置でもよい。地表面は、土でもよいし、市街地であればアスファルト等の舗装面でもよい。
【００１０】
また、本明細書において「降水面」は、雨が降る位置に限らず、その場所では降雨がなく上流で降った雨水が流下してくる下流の位置も含めた概念である。例えば、世界中の至る所にある乾燥地帯では、枯れ川の筋に沿った複数の地点で雨水を地中貯留し、それらの地点を緑化の核とすることができる。
【００１１】
本発明の第１の降水貯留構造では、施工後に一旦まとまった雨が降った後には、降水面の水が通水体を通じて地中の帯水層に導かれ、帯水層内の空隙に貯留される。
【００１２】
帯水層とは、飽和湿潤状態にある透水性物質の層であり、飽和湿潤状態とは、地中の土粒子の間隙が水で飽和した状態をいう。飽和湿潤状態の地中では、飽和していない地中に比べて遥かに大きい透水性を持つ。そして降水面から水が供給されると帯水層の上端である地下水面は上昇する。地表の土層では、その体積の約４割が空隙であるので、飽和湿潤状態にある帯水層に時間当たりに貯水する水量および貯水量自体が大きくなる。よって、下流の河川流量を調節する能力が大きく、洪水時の河川の水位上昇が抑えられる。
【００１３】
特に、通水体の下端の位置は、帯水層の地下水位よりも低いことが好ましい。晴天が続いた時などの乾燥状態では、帯水層中の貯水量および地下水位は低下する。このとき、通水体の下端の位置を地下水位よりも低くしておくことにより、帯水層中の地下水と通水体とを連通させることができ、安定して高い浸透能力および貯水能力を得ることができる。
【００１４】
本発明による第２の降水貯留構造は、上端および下端に開口を有し、上端は降水面に連通し、下端は地中に置かれた通水体と、通水体の下端の下方に、底面の周囲に立上り縁を有する水受け体とを備えたものである。
【００１５】
本発明の第２の降水貯留構造では、施工後に一旦まとまった雨が降った後には、降水面の水が通水体を通じて地中に導かれ、水受け体の上に形成された帯水層内の空隙に貯留される。
【００１６】
特に、通水体の下端の位置は、水受け体の立上り縁よりも低いことが好ましい。施工後に一旦まとまった降雨により水受け体上に飽和湿潤状態が形成されると、晴天が続いた時の乾燥状態においても、水受け体の上には常に水が飽和湿潤状態で保持された状態となる。このとき、通水体の下端の位置を水受け体の立上り縁よりも低くしておくことにより、水受け体上に飽和湿潤状態で保持された水と通水体とを連通させることができる。よって、それ以後の降雨では、安定して高い浸透能力および貯水能力を得ることができる。
【００１７】
本発明の第１または第２の降水貯留構造では、通水体の上端は、透水性舗装を介して降水面に連通しているようにしてもよい。
【００１８】
また、通水体は、例えば、１本または複数の管体により構成されていることが好ましい。特に、複数の管体により構成すれば、透水性舗装の重量を分散して支えることができ、また、たとえそのうち１本が破損しても通水体が詰まるのを防ぐことができるからである。
【００１９】
本発明による第１の降水貯留方法は、上端および下端に開口を有する通水体を、上端が降水面に連通し、下端が地中の帯水層に位置するように設け、降水面の水を通水体を介して地中に導き、帯水層内の空隙に貯留するようにしたものである。
【００２０】
本発明による第２の降水貯留方法は、上端および下端に開口を有する通水体を、上端は降水面に連通し、下端は地中に位置するように設けると共に、通水体の下端の下方に、底面の周囲に立上り縁を有する水受け体を配置し、降水面の水を通水体を介して地中に導き、水受け体の上に形成された帯水層内の空隙に貯留するようにしたものである。
【発明の効果】
【００２１】
本発明の第１の降水貯留構造、または本発明の第１の降水貯留方法によれば、上端および下端に開口を有する通水体を、上端が降水面に連通し、下端が地中の帯水層に位置するように設け、降水面の水を通水体を介して地中に導くようにしたので、降水時に水を地中の帯水層内の空隙に効果的に貯留し、地中における水の貯留量を増やすことができる。
【００２２】
特に、通水体の下端の位置を、帯水層の地下水位よりも低くすれば、帯水層中の飽和湿潤状態の地下水と通水体とを連通させることができ、安定して高い浸透能力および貯水能力を得ることができる。
【００２３】
本発明の第２の降水貯留構造、または本発明の第２の降水貯留方法によれば、上端および下端に開口を有する通水体を、上端は降水面に連通し、下端は地中に位置するように設けると共に、通水体の下端の下方に、底面の周囲に立上り縁を有する水受け体を配置し、降水面の水を通水体を介して地中に導くようにしたので、降水時に水を、水受け体の上に形成された帯水層内の空隙に貯留し、地中における水の貯留量を増やすことができる。
【００２４】
特に、通水体の下端の位置を、水受け体の立上り縁よりも低くすれば、水受け体上に飽和湿潤状態で保持された水と通水体とを連通させることができ、安定して高い浸透能力および貯水能力を得ることができる。
【発明を実施するための最良の形態】
【００２５】
以下、本発明の実施の形態について図面を参照して説明する。
【００２６】
（第１の実施の形態）
図１は本発明の第１の実施の形態に係る降水貯留構造の構成を模式的に表したものである。この降水貯留構造１は、雨水などの降水を地中に貯留するためのものであり、その目的に適した場所に設置される。河川流量の調節を目的とするものであれば、流域内の任意の箇所に設置可能であるが、特に、上流の集水区域または降水時の水みちに設置されることが望ましい。また、市街地などの浸水被害を抑えるためであれば、例えば、団地などの集合住宅の敷地内またはその敷地から出てきた雨水が流れる場所やたまる場所に設けることができる。あるいは、乾燥地帯の緑化目的であれば、枯れ川の筋に沿って設置される。なお、降水貯留構造１の個数は特に限定されないが、適度の感覚で個数を増やせばそれだけ貯水量を多くすることができる。
【００２７】
降水貯留構造１は、通水体１０と、透水性舗装２０と、水受け体３０とを有している。
【００２８】
通水体１０は、降水面Ｐに降った雨水を、地中の帯水層に導くためのものであり、上端１０Ａおよび下端１０Ｂに開口を有する管材により構成されている。通水体１０の上端１０Ａは透水性舗装２０を介して降水面Ｐ（ここでは例えば地表面）に連通している。通水体１０の下端１０Ｂは地中に、好ましくは地表層Ｌ１内に置かれている。地表層Ｌ１は、地中において、岩盤または粘土層などの不透水層Ｌ２の上に位置する層である。また、地表層Ｌ１には、地下水（図示せず）が存在している。
【００２９】
通水体１０は、例えば、１本または複数の管材により構成されている。特に、複数の管材を束ねた構造とすれば、透水性舗装２０の重量を分散して支えることができると共に、そのうち１本が破損しても通水体１０が詰まるのを防ぐことができる。通水体１０の構成材料は特に限定されないが、例えば、節を貫通した竹を束ねたものにすると天然由来のものとすることができる。通水体１０の寸法は、例えば、１本の管材よりなる場合はその直径が０.５ｍ〜１ｍ程度、複数の管材を束ねた構成の場合は全体の直径が０.５ｍ〜１ｍ程度であり、深さは設置場所の地下水位により異なるがおおよそ２ｍ〜５ｍ程度である。
【００３０】
透水性舗装２０は、降水面Ｐ上にある降水を通過させて通水体１０に導くものであり、例えばポーラスコンクリート，アスファルトなどの透水性建材（透水性剛体）により構成されている。透水性舗装２０は、例えば通水体１０の上端１０Ａに設けられている。あるいは、図２に示したように、通水体１０の上端１０Ａと、下端１０Ｂとの２箇所に設けられていてもよい。なお、透水性舗装２０の寸法は、必ずしも通水体１０の寸法と同じである必要はなく、通水体１０の寸法よりも大きくてもよい。特に、通水体１０の下端１０Ｂに設置する場合、通水体１０の寸法より大きくすると、通水体１０およびその上端１０Ａの透水性舗装２０の重量を支える意味で有効である。また、透水性舗装２０の形状も、特に限定されない。
【００３１】
透水性舗装２０には、通水体１０から降水面Ｐに向けて貫通する空気抜き２１が設けられている。この空気抜き２１は、通水体１０内が加圧または減圧状態になることを避けるため、空気が通水体１０内と地表上の大気空間とを行き来できるようにするためのものである。なお、通水体１０を、複数の管材を束ねた構造とする場合には、個々の管材の上端部付近の管壁に空気流通用の孔を適宜穿孔することも可能である。
【００３２】
水受け体３０は、通水体１０を通ってきた水を貯留するためのものであり、底面３１の周囲に立上り縁３２を有している。立上り縁３２の高さや傾斜角は、特に限定されない。底面３１の平面形状は、図３に示したような円形、または、図４に示したような矩形など、特に限定されない。通水体１０の下端１０Ｂの位置は、水受け体３０の立上り縁３２よりも低いことが好ましい。後述するように、施工後に一旦まとまった降雨があると、その後は水受け体３０に水が保持された状態となるので、通水体１０の下端１０Ｂの位置を、水受け体３０の立上り縁３２よりも低くしておくことにより、水受け体３０上に飽和湿潤状態で保持された水と通水体１０とを常に連通させ、安定して大きな浸透能力と保水能力を得ることができる。
【００３３】
水受け体３０の構成材料は、水を通さないものであれば特に限定されない。水受け体３０の具体的な構成としては、例えば図５に示したように、木材などの枠３２Ａの上に、ビニールよりなる遮水シート３１Ａを敷いたものとすれば、手軽に用意することができる。また、場合によっては、遮水シート３１Ａの代わりに広葉樹の葉を重ねた、天然由来のものとすることもできる。
【００３４】
なお、水受け体３０は、一個の通水体１０に対して一個設けられていることが望ましい。それは、貯水量を同じにした場合、この方が多数の通水体１０に対して一個の水受け体３０を設けるのに比べて、施工面積を小さくし、コストを削減することができるからである。
【００３５】
このような降水貯留構造１は、例えば、次のようにして施工することができる。
【００３６】
まず、施工場所を掘削し、掘削した部分に上述した材料および構成の水受け体３０を設置する。次いで、上述した材料および構成の通水体１０を、その下端１０Ｂが、水受け体３０の立上り縁３２よりも低い位置になるように位置決めし、掘削した部分を埋め戻す。続いて、通水体１０の上端の降水面Ｐに透水性舗装２０を施工する。以上により、図１に示した降水貯留構造１が完成する。
【００３７】
この降水貯留構造１では、施工後に一旦まとまった雨が降った後には、透水性舗装２０を通過した水が通水体１０や飽和湿潤状態の帯水層Ｌ３を経由して地中に導かれ、図６において降雨直後の湿潤線ＷＬ１に示したように、帯水層Ｌ３内の土粒子の空隙が水で飽和した状態（飽和湿潤状態）が形成される。飽和湿潤状態では浸透能力が大きく、また、地表層Ｌ１の体積の約４割は空隙であるので、時間当たりに貯水する水量および貯水量自体が大きくなる。
【００３８】
ここで、降雨面Ｐの面積Ａ１に降る雨量をＲ、地中の空隙率をλ（λ＜１）とすると、水受け体３０の面積Ａ２と降雨直後の地下水位の上昇量の上限をｈとの間の関係が数式１に示す関係を満たすように水受け体３０の面積Ａ２を設定する目安とすることができる。
【００３９】
（数１）
Ａ１＊Ｒ≒Ａ２＊ｈ＊λ
Ａ２≒Ａ１＊Ｒ／（ｈ＊λ）
【００４０】
また、この降水貯留構造１では、上記のように飽和湿潤状態が形成されると、晴天が続いた時の乾燥状態においても、図７において無降雨が続いた後の湿潤線ＷＬ２に示したように、水受け体３０上には常に水が飽和湿潤状態で保持された状態となる。通水体１０の下端１０Ｂの位置を、水受け体３０の立上り縁３２よりも低くしておくことにより、水受け体３０上に飽和湿潤状態で保持された水と通水体１０とを連通させることができる。よって、それ以後の降雨では、安定して高い浸透能力および貯水能力が得られる。
【００４１】
このように本実施の形態では、上端１０Ａおよび下端１０Ｂに開口を有する通水体１０を、上端１０Ａが降水面Ｐに連通し、下端１０Ｂが地中に位置するように設け、降水面Ｐの水を通水体１０を介して地中に導くようにしたので、降水時に水を帯水層Ｌ３内の空隙に貯留し、地中における水の貯留量を増やすことができる。
【００４２】
従って、この降水貯留構造１を河川流量の調節に用いれば、洪水時の河川の水位上昇を抑え、特に河川下流の流量を有効に調整することができる。よって、洪水調節用ダムの緊急放流の機会を減らし、これによる水害のおそれを激減させることができる。また、豪雨時に裸地を流れる水流により浸食された土砂が大量にダム湖に流入することを防止し、ダム堆砂を減らすことが可能となる。
【００４３】
更に、この降水貯留構造１を水力発電用ダムの上流の流域内に配置すれば、ダム湖に流入する水量を平準化することができ、安定した発電を行うことが可能となる。
【００４４】
加えて、都市の使用水量が増えてダム貯水率の低下とそれに伴う取水制限が頻発している現状を改善することができる。これにより安定した生産活動または日常生活が可能となる。
【００４５】
更にまた、世界中の至る所に存在する乾燥地帯では、枯れ川の筋に沿った複数の地点でこの降水貯留構造１を設置すれば、それらの地点を緑化の核とすることができる。
【００４６】
特に、通水体１０の下端１０Ｂの下方に水受け体３０を配置し、通水体１０の下端１０Ｂの位置を、水受け体３０の立上り縁３２よりも低くすれば、水受け体３０上に飽和湿潤状態で保持された水と通水体１０とを連通させることができ、安定して高い浸透能力および貯水能力を得ることができる。
【００４７】
（第２の実施の形態）
図８は、本発明の第２の実施の形態に係る降水貯留構造１Ａの構成を模式的に表したものである。この降水貯留構造１Ａは、通水体１０の下端１０Ｂが地中の帯水層Ｌ３に置かれており、水受け体３０を有しないことを除いては、上記第１の実施の形態の降水貯留構造１と同様に構成されている。よって、対応する構成要素には同一の符号を付して説明する。
【００４８】
通水体１０の下端１０Ｂの位置は、晴天が続いた時の帯水層Ｌ３の上端である地下水位（基底の地下水位）ＷＬ３よりも低いことが好ましい。これは、帯水層Ｌ３中の地下水と通水体１０とを連通させることができ、安定して高い浸透能力および貯水能力を得ることができるからである。
【００４９】
透水性舗装２０および空気抜き２１は、第１の実施の形態と同様に構成されている。
【００５０】
このような降水貯留構造１Ａは、例えば、次のようにして施工することができる。
【００５１】
まず、施工場所を掘削し、上述した材料および構成の通水体１０を、その下端１０Ｂが地中の帯水層Ｌ３に位置するように位置決めし、掘削部を埋め戻す。続いて、通水体１０の上端１０Ａの降水面Ｐに、透水性舗装２０を施工する。以上により、図８に示した降水貯留構造１Ａが完成する。
【００５２】
この降水貯留構造１Ａでは、施工後に一旦まとまった雨が降った後には、透水性舗装２０を通過した水が通水体１０を通じて飽和湿潤状態にある帯水層Ｌ３に導かれ、図９において降雨直後の湿潤線ＷＬ１に示したように、帯水層Ｌ３の上端である地下水位が上昇する。地表層Ｌ１においては、その体積の約４割が空隙であるので、時間当たりに貯水する水量および貯水量自体が大きくなる。
【００５３】
晴天が続いた時の乾燥状態では、図８に示したように、地下水位は基底の水位ＷＬ３に戻る。ここでは、通水体１０の下端１０Ｂの位置が地下水位ＷＬ３よりも低いので、帯水層Ｌ３内の飽和湿潤状態の地下水と通水体１０とが連通した状態となり、安定して高い浸透能力および貯水能力が得られる。
【００５４】
このように本実施の形態では、上記第１の実施の形態の効果に加えて、水受け体３０を不要とし、構成および施工を更に簡素化することができる。
【００５５】
特に、通水体１０の下端１０Ｂの位置を、基底の地下水位ＷＬ３よりも低くするようにしたので、帯水層Ｌ３内の飽和湿潤状態の地下水と通水体１０とを連通させることができ、安定して高い浸透能力および貯水能力を得ることができる。
【００５６】
（変形例１）
図１０は、本発明の変形例１に係る降水貯留構造１Ｂの構成を表したものである。この降水貯留構造１Ｂは、通水体１０の周囲に、支持体１１を設けるようにしたことを除いては、上記第１の実施の形態の降水貯留構造１と同様の構成を有し、同様にして施工することができる。
【００５７】
支持体１１は、土が崩れて通水体１０が変位するのを防ぐためのものであり、例えば、通水体１０の下端１０Ｂまたはその近傍に設けられていることが好ましい。下端１０Ｂ近傍の低い（深い）位置は、土圧による拘束力が大きいからである。また、飽和湿潤状態では不飽和の場合に比べて土圧による拘束力が小さいことに注意が必要である。支持体１１の構成材料は、例えば透水性舗装２０と同様の材料とすることができる。
【００５８】
この降水貯留構造１Ｂでは、通水体１０の周囲に支持体１１が設けられているので、降雨時において通水体１０の周囲が飽和湿潤状態となり、土圧による拘束力が小さくなった場合に、土が崩れて通水体１０が変位することを抑えることができる。よって、降水貯留構造１Ｂを長期にわたって使用することができる。
【００５９】
（変形例２）
図１１は、本発明の変形例２に係る降水貯留構造１Ｃの構成を表したものである。この降水貯留構造１Ｃは、通水体１０の側面に、通水孔１２を設けたことを除いては、上記第１の実施の形態において図２に示した降水貯留構造１と同様の構成を有し、同様にして施工することができる。なお、本変形例において水受け体３０は、設けてもよいし、設けなくてもよい。
【００６０】
通水体１０には、上端１０Ａおよび下端１０Ｂの両方に、透水性舗装２０が設けられている。特に、下端１０Ｂに設けられた透水性舗装２０は、通水体１０およびその上端１０Ａに設けられた透水性舗装２０の重量を支えるための支持体兼透水性舗装としての機能も有している。
【００６１】
通水孔１２は、雨水が地中に出て行くための孔であり、通水体１０の下端１０Ｂの近傍に設けられている。この通水孔１２は、渇水期の地下水位（具体的には、図７において無降雨が続いた後の湿潤線ＷＬ２、または、図８において基底の地下水位ＷＬ３）より低い位置に設けられていることが望ましい。通水孔１２は通水体１０内の水を効果的に流出させればよく、通水孔１２の大きさ、数などは特に限定されない。
【００６２】
この降水貯留構造１Ｃでは、通水体１０の側面に、通水孔１２を設けるようにしたので、降水面Ｐに降った水は、下端１０Ｂに設けられた透水性舗装２０だけでなく、側面の通水孔１２からも地中に浸透する。よって、多量の降雨があった場合にも、より速く、より多量の水が帯水層Ｌ３に貯蔵される。
【００６３】
（変形例３）
図１２は、本発明の変形例３に係る降水貯留構造１Ｄの構成を表したものである。この降水貯留構造１Ｄは、上記第２の実施の形態において、通水体１０の周囲に、変形例１と同様の支持体１１を設けたものである。この降水貯留構造１Ｄの構成、施工方法、作用および効果は、上記第２の実施の形態および変形例１と同様である。
【００６４】
（変形例４）
図１３は、本発明の変形例４に係る降水貯留構造１Ｅの構成を表したものである。この降水貯留構造１Ｅは、上記第１の実施の形態において、通水体１０を曲管としたものである。本変形例では、透水性舗装２０の直下の地中に水を貯留するのに不適な場合（傾斜地、住宅密集地、重量建築物の設置場所など）には、通水体１０を曲管にして、降水を地中貯留に適した場所（田畑、原野等）に導くことが可能となる。このことを除いては、本変形例の構成、施工方法、作用および効果は、上記第１の実施の形態と同様である。また、本変形例を、第２の実施の形態または変形例１〜３と組み合わせることも可能であることは言うまでもない。
【００６５】
以上、実施の形態を挙げて本発明を説明したが、本発明は、上記実施の形態に限定されるものではなく、種々変形することができる。例えば、上記実施の形態において説明した各構成要素の材料および寸法、または施工方法などは限定されるものではなく、他の材料および寸法としてもよく、または他の方法により施工するようにしてもよい。
【００６６】
また、上記実施の形態では、降水貯留構造１，１Ａ〜１Ｅの構成を具体的に挙げて説明したが、全ての構成要素を備える必要はなく、また他の構成要素を更に備えていてもよい。
【図面の簡単な説明】
【００６７】
【図１】本発明の第１の実施の形態に係る降水貯留構造の構成を表す図である。
【図２】図１に示した降水貯留構造の変形例を表す図である。
【図３】図１に示した降水貯留構造を透水性舗装の側から見た構成を表す平面図である。
【図４】図３の変形例を表す平面図である。
【図５】水受け体の変形例を表す図である。
【図６】図１に示した降水貯留構造の降雨時の作用を説明するための図である。
【図７】図１に示した降水貯留構造の無降雨が続いた時の状態を説明するための図である。
【図８】本発明の第２の実施の形態に係る降水貯留構造の構成を表す図である。
【図９】図８に示した降水貯留構造の降雨時の作用を説明するための図である。
【図１０】本発明の変形例１に係る降水貯留構造の構成を表す図である。
【図１１】本発明の変形例２に係る降水貯留構造の構成を表す図である。
【図１２】本発明の変形例３に係る降水貯留構造の構成を表す図である。
【図１３】本発明の変形例４に係る降水貯留構造の構成を表す図である。
【符号の説明】
【００６８】
１，１Ａ〜１Ｅ…降水貯留構造、１０…通水体、１０Ａ…上端、１０Ｂ…下端、１１…支持体、２０…透水性舗装、２１…空気抜き、３０…水受け体、３１…底面、３２…立上り縁、Ｌ１…地表層、Ｌ２…不透水層、Ｌ３…帯水層。
【図１】
2009264080.tif 000003
【図２】
2009264080.tif 000004
【図３】
2009264080.tif 000005
【図４】
2009264080.tif 000006
【図５】
2009264080.tif 000007
【図６】
2009264080.tif 000008
【図７】
2009264080.tif 000009
【図８】
2009264080.tif 000010
【図９】
2009264080.tif 000011
【図１０】
2009264080.tif 000012
【図１１】
2009264080.tif 000013
【図１２】
2009264080.tif 000014
【図１３】
2009264080.tif 000015